(57)【特許請求の範囲】
【請求項１】
医療機関が直近に傷病者を受け入れた時を示す情報を含む傷病者受入状況情報を取得する情報取得部と、
医療機関における直近の傷病者受入からの経過時間に基づいて当該医療機関を示すアイコンの表示態様を決定する表示態様決定部と、
地図を表示し、当該地図における医療機関の位置に、当該医療機関を示すアイコンを、前記表示態様決定部が決定した表示態様で表示する表示部と、
を備える傷病者受入状況情報表示装置。
【請求項２】
前記情報取得部が取得する前記傷病者受入状況情報は、前記医療機関から通知される受入不可の通知をさらに含み、
前記表示態様決定部は、さらに、前記受入不可の通知の有無に基づいて前記表示態様を決定する、
請求項１に記載の傷病者受入状況情報表示装置。
【請求項３】
前記情報取得部が取得する前記傷病者受入状況情報は、前記医療機関から通知される受入不可時間の情報をさらに含み、
前記表示態様決定部は、前記受入不可が通知された後、当該通知に含まれる受入不可時間が経過した場合、受入可否が通知されていない場合の表示態様として設定されている表示態様に決定する、
請求項２に記載の傷病者受入状況情報表示装置。
【請求項４】
前記情報取得部は、医療機関が傷病者を受け入れた時と、当該傷病者の重症度を示す情報を含む前記傷病者受入状況情報を取得し、
前記表示部は、医療機関が受け入れた傷病者の重症度を示す情報を、前記医療機関を示す前記アイコンとともに表示する、
請求項１から３のいずれか一項に記載の傷病者受入状況情報表示装置。
【請求項５】
前記情報取得部は、医療機関が傷病者を受け入れた時と、当該傷病者の重症度とを示す情報を含む前記傷病者受入状況情報を取得し、
前記表示部は、医療機関が受け入れた傷病者の重症度を示す情報を、当該医療機関を示す前記アイコンにおける所定の位置を基準位置として当該傷病者の受入からの経過時間に応じた相対位置に表示する、
請求項１から３のいずれか一項に記載の傷病者受入状況情報表示装置。
【請求項６】
前記表示部は、前記アイコンに設定されている基準位置を中心とした場合の、前記重症度を示す情報の表示位置の、所定の向きからの角度にて、傷病者の受入からの経過時間を示す、
請求項５に記載の傷病者受入状況情報表示装置。
【請求項７】
前記情報取得部は、医療機関が傷病者を受け入れた時と、当該医療機関が傷病者の受入を断った時とを示す情報を含む前記傷病者受入状況情報を取得し、
前記表示部は、前記アイコンに設定されている基準位置を中心として、傷病者を受け入れたこと又は受入を断ったことの表示位置の、所定の向きからの角度にて、傷病者の受入または受入を断ってからの経過時間を示す、
請求項１から６のいずれか１項に記載の傷病者受入状況情報表示装置。
【請求項８】
医療機関から通知される受入不可の通知と、当該医療機関から通知される受入不可時間の情報とを含む傷病者受入状況情報を取得する情報取得部と、
前記受入不可の通知の有無に基づいて当該医療機関を示すアイコンの表示態様を決定し、また、前記受入不可が通知された後、当該通知に含まれる受入不可時間が経過した場合、受入可否が通知されていない場合の表示態様として設定されている表示態様に決定する表示態様決定部と、
前記医療機関を示すアイコンを、前記表示態様決定部が決定した表示態様で表示する表示部と、
を備える傷病者受入状況情報表示装置。
【請求項９】
医療機関が直近に傷病者を受け入れた時を示す情報を含む傷病者受入状況情報を、取得する情報取得部と、
医療機関における直近の傷病者受入からの経過時間に基づいて当該医療機関を示すアイコンの表示態様を決定する表示態様決定部と、
を備えるアイコン表示態様決定装置と、
地図を表示し、当該地図における医療機関の位置に、当該医療機関を示すアイコンを、前記表示態様決定部が決定した表示態様で表示する表示部を備える傷病者受入状況情報表示装置と、
を備える傷病者受入状況情報表示システム。
【発明の詳細な説明】
【技術分野】
【０００１】
本発明は、傷病者受入状況情報表示装置および傷病者受入状況情報表示システムに関する。
【背景技術】
【０００２】
救急車など緊急車両の出動に関連して幾つかの技術が提案されている。
例えば、特許文献１に記載の通信指令システムでは、指令手段は、出動指令が発行されてから、指定された許容時間、例えば１０分以内に出動できなかった未出動車両について、出動編成テーブルから自動的に削除する。この処理は、未出動車両が１つだけの場合、そのまま自動的に削除し、さらに、未出動車両やこれを含む該当事案が複数存在する場合、指令員からの選択指示に従って削除する。また、自動削除の対象となる車両の動態の種類を予め設定しておき、削除対象となる車両を確実に抽出する。
特許文献１では、これにより、通信指令システムにおける自動出動編成に関して、指令書の通りに出動できなかった車両であっても、自動的に事案から削除、もしくは、指令員が事案や車両を選択して自動的に事案から削除する、とされている。
【先行技術文献】
【特許文献】
【０００３】
【特許文献１】特開２００９−７５９８９号公報
【発明の概要】
【発明が解決しようとする課題】
【０００４】
救急隊の活動に際して、病院などの医療機関への傷病者の受け渡しが重要である。例えば、搬送先医療機関を決定し搬送するのに時間がかかると、症状の悪化など重大な結果を招く可能性がある。救急隊から医療機関への傷病者の受け渡しがより円滑に行われることが望まれる。
これに対して、特許文献１には、救急隊から医療機関への傷病者の受け渡しの円滑化については記載されていない。
【０００５】
本発明は、救急隊から医療機関への傷病者の受け渡しが円滑に行われるよう支援することのできる傷病者受入状況情報表示装置および傷病者受入状況情報表示システムを提供する。
【課題を解決するための手段】
【０００６】
本発明の第１の態様によれば、傷病者受入状況情報表示装置は、医療機関が直近に傷病者を受け入れた時を示す情報を含む傷病者受入状況情報を取得する情報取得部と、医療機関における直近の傷病者受入からの経過時間に基づいて当該医療機関を示すアイコンの表示態様を決定する表示態様決定部と、地図を表示し、当該地図における医療機関の位置に、当該医療機関を示すアイコンを、前記表示態様決定部が決定した表示態様で表示する表示部と、を備える。
【０００７】
前記情報取得部が取得する前記傷病者受入状況情報は、前記医療機関から通知される受入不可時間の情報をさらに含み、前記表示態様決定部は、前記受入不可が通知された後、当該通知に含まれる受入不可時間が経過した場合、受入可否が通知されていない場合の表示態様として設定されている表示態様に決定する、ようにしてもよい。
【０００８】
前記情報取得部が取得する前記傷病者受入状況情報は、前記医療機関から通知される受入不可時間の情報をさらに含み、前記表示態様決定部は、前記受入不可が通知された後、当該通知に含まれる受入不可時間が経過した場合、受入可否が通知されていない場合の表示態様として設定されている表示態様に決定する、ようにしてもよい。
【０００９】
前記情報取得部は、医療機関が傷病者を受け入れた時と、当該傷病者の重症度を示す情報を含む前記傷病者受入状況情報を取得し、前記表示部は、医療機関が受け入れた傷病者の重症度を示す情報を、前記医療機関を示す前記アイコンとともに表示する、ようにしてもよい。
ここで、医療機関が受け入れた傷病者の重症度を示す情報を、前記医療機関を示す前記アイコンとともに表示する場合、当該アイコンに重なる位置に表示してもよいし、該アイコンに重ならない位置に表示してもよい。
【００１０】
前記情報取得部は、医療機関が傷病者を受け入れた時と、当該傷病者の重症度とを示す情報を含む前記傷病者受入状況情報を取得し、前記表示部は、医療機関が受け入れた傷病者の重症度を示す情報を、当該医療機関を示す前記アイコンにおける所定の位置を基準位置として当該傷病者の受入からの経過時間に応じた相対位置に表示する、ようにしてもよい。
【００１１】
前記表示部は、前記アイコンに設定されている基準位置を中心とした場合の、前記重症度を示す情報の表示位置の、所定の向きからの角度にて、傷病者の受入からの経過時間を示す、ようにしてもよい。
【００１２】
前記表示部は、地図を表示し、当該地図における医療機関の位置に、当該医療機関を示す前記アイコンを表示する、ようにしてもよい。
【００１３】
前記情報取得部は、医療機関が傷病者を受け入れた時と、当該医療機関が傷病者の受入を断った時とを示す情報を含む前記傷病者受入状況情報を取得し、前記表示部は、前記アイコンに設定されている基準位置を中心として、傷病者を受け入れたこと又は受入を断ったことの表示位置の、所定の向きからの角度にて、傷病者の受入または受入を断ってからの経過時間を示す、ようにしてもよい。
【００１４】
本発明の第２の態様によれば、傷病者受入状況情報表示装置は、医療機関から通知される受入不可の通知と、当該医療機関から通知される受入不可時間の情報とを含む傷病者受入状況情報を取得する情報取得部と、前記受入不可の通知の有無に基づいて当該医療機関を示すアイコンの表示態様を決定し、また、前記受入不可が通知された後、当該通知に含まれる受入不可時間が経過した場合、受入可否が通知されていない場合の表示態様として設定されている表示態様に決定する表示態様決定部と、前記医療機関を示すアイコンを、前記表示態様決定部が決定した表示態様で表示する表示部と、を備える。
【００１５】
本発明の第３の態様によれば、傷病者受入状況情報表示システムは、医療機関が直近に傷病者を受け入れた時を示す情報を含む傷病者受入状況情報を、取得する情報取得部と、医療機関における直近の傷病者受入からの経過時間に基づいて当該医療機関を示すアイコンの表示態様を決定する表示態様決定部と、を備えるアイコン表示態様決定装置と、地図を表示し、当該地図における医療機関の位置に、当該医療機関を示すアイコンを、前記表示態様決定部が決定した表示態様で表示する表示部を備える傷病者受入状況情報表示装置と、を備える。
【発明の効果】
【００１６】
この発明によれば、救急隊から医療機関への傷病者の受け渡しが円滑に行われるよう支援することができる。
【図面の簡単な説明】
【００１７】
【図１】本発明の一実施形態における救急医療情報システムの機能構成を示す概略ブロック図である。
【図２】同実施形態における救急隊員用端末装置の機能構成の構成を示す概略ブロック図である。
【図３】同実施形態におけるサーバ装置の機能構成の構成を示す概略ブロック図である。
【図４】同実施形態における医療機関用端末装置の機能構成の構成を示す概略ブロック図である。
【図５】同実施形態における医療機関用端末装置の表示部が表示する傷病者受入可否の通知の入力画面の例を示す説明図である。
【図６】同実施形態における救急隊員用端末装置の表示部が表示する医療機関一覧画面の例を示す説明図である。
【図７】同実施形態における救急隊員用端末装置が表示する、直近３０分以内に傷病者受入があった医療機関を示すアイコンの例を示す説明図である。
【図８】同実施形態における救急隊員用端末装置が表示する、直近３０分〜６０分の範囲で直近の傷病者受入があった医療機関を示すアイコンの例を示す説明図である。
【図９】同実施形態における救急隊員用端末装置２００が表示する、直近６０分以内に傷病者を受け入れていない医療機関を示すアイコンの例を示す説明図である。
【図１０】同実施形態における救急隊員用端末装置の表示部が表示する地図表示画面の例を示す説明図である。
【図１１】同実施形態における救急隊員用端末装置が医療機関のアイコンを地図に表示する処理手順の例を示すフローチャートである。
【図１２】同実施形態における優先度決定部が医療機関の優先度を決定する処理手順の例を示すフローチャートである。
【図１３】本実施形態の一変形例に係る救急隊員用端末装置の機能構成の構成を示す概略ブロック図である。
【図１４】同変形例に係るサーバ装置の機能構成を示す概略ブロック図である。
【発明を実施するための形態】
【００１８】
以下、本発明の実施形態を説明するが、以下の実施形態は請求の範囲にかかる発明を限定するものではない。また、実施形態の中で説明されている特徴の組み合わせの全てが発明の解決手段に必須であるとは限らない。
図１は、本発明の一実施形態における救急医療情報システムの機能構成を示す概略ブロック図である。同図において、救急医療情報システム１は、サーバ装置１００と、１つ以上の救急隊員用端末装置２００と、１つ以上の医療機関用端末装置３００と、ネットワーク９００とを具備する。
【００１９】
救急医療情報システム１は、救急隊による傷病者の救急搬送を支援するシステムである。特に、救急医療情報システム１は、搬送先医療機関（受入先医療機関とも言う）決定のための情報を提供する。ここでいう医療機関は、例えば救急病院など、傷病者を受け入れて医療行為を提供可能な機関であるが、これに限らない。例えば、救急医療の受付を行うことが可能な防災センター等の医療に関連する期間が医療機関に含まれていてもよい。
救急医療情報システム１は、傷病者受入状況情報表示システムの例に該当する。
【００２０】
救急隊員用端末装置２００は、傷病者受入状況情報表示装置の例に該当し、医療機関による傷病者受入の履歴、当該医療機関による傷病者受入不可の履歴、および、当該医療機関からの傷病者受入可否の通知など、医療機関における傷病者受入状況を示す情報を救急隊員に提供する。なお、医療機関における傷病者受入状況を示す情報を、傷病者受入状況情報と称する。ここでいう傷病者受入の履歴は、医療機関が傷病者を受け入れた履歴である。一方、傷病者受入不可の履歴は、医療機関が傷病者を受け入れなかった履歴である。
また、救急隊員用端末装置２００は、救急隊員が行う傷病者受入交渉結果の登録を受け付ける。この傷病者受入交渉結果をサーバ装置１００が医療機関毎に集計して、傷病者受入の履歴、および、傷病者受入不可の履歴を生成する。
救急隊員用端末装置２００は、例えばスマートフォンまたはタブレット端末など携帯型の情報機器にて実現され、救急隊員が救急隊員用端末装置２００を携帯する。ただし、救急隊員用端末装置２００が救急車に組み込まれるなど、携帯型の情報機器以外の形態で実現されていてもよい。
【００２１】
なお、救急隊員用端末装置２００が、傷病者に関する情報の入力を受け付けて医療機関用端末装置３００へ送信するようにしてもよい。救急車が傷病者受入先の医療機関に到着する前に、傷病者に関する情報を当該医療機関に提供することで、医療機関において傷病者受入の準備を進めることができる。
また、救急隊員用端末装置２００が、救急車および救急隊員（救急活動を行う消防署員）の出動状況を示す情報の入力を受け付けるようにしてもよい。救急車および救急隊員の出動状況を示す情報を消防本部に提供することで、出動要請を行う消防本部の担当者が、救急車および救急隊員の状況を把握し得る。
救急隊員用端末装置２００は、傷病者受入状況情報表示装置の例に該当する。
【００２２】
医療機関用端末装置３００は、医療機関による傷病者受入可否の通知を行う。具体的には、医療機関において担当者が当該医療機関の傷病者受入可否を入力すると、入力された傷病者受入可否を、サーバ装置１００を介して救急隊員用端末装置２００へ通知する。
医療機関用端末装置３００は、例えば、医療機関に設置されたパソコン（Personal Computer；ＰＣ）にて実現される。
【００２３】
なお、医療機関用端末装置３００が、医療機関に対する傷病者の受入要請への応答や、傷病者の受入準備を支援するようにしてもよい。例えば、医療機関用端末装置３００が、受入要請されている傷病者の状態の情報を医療機関の担当者に提供するようにしてもよい。また、医療機関用端末装置３００が、医療機関への受入が決まり搬送中の傷病者の状態の情報を、当該医療機関で当該傷病者を引き受ける医師等に提供するようにしてもよい。
【００２４】
サーバ装置１００は、各端末装置（救急隊員用端末装置２００及び医療機関用端末装置３００）から情報を集約して一括管理し、各端末装置の要求に応じて情報を提供する。サーバ装置１００は、例えば、救急医療情報システム１の運営を委託された運営会社のデータセンタに設置されたコンピュータにて実現される。
【００２５】
サーバ装置１００が、１つの消防本部の管轄内の救急隊員用端末装置２００から情報を集約するようにしてもよいし、複数の消防本部の管轄内の救急隊員用端末装置２００から情報を集約するようにしてもよい。例えば、サーバ装置１００が、都道府県内全域の情報を集約するようにしてもよい。一般に、都道府県内には、例えば郡市毎など複数の消防本部が設置され、各消防本部は自らの管轄内の消防署に対して救急車の出動要請を行う。
救急医療情報システム１が、都道府県内全域について医療機関における傷病者受入状況の情報を集約することで、出動する救急隊員や、出動要請を行う消防本部の担当者は、県内の医療機関の救急患者受入状況を確認でき、より迅速に搬送先医療機関を選定し得る。
【００２６】
ネットワーク９００は、サーバ装置１００と各端末装置との通信を媒介する。
ネットワーク９００は、例えばインターネット（Internet）と、携帯電話網（通信事業者がスマートフォンや携帯電話などの携帯端末装置向けに提供する通信ネットワーク）との組み合わせにて実現される。但し、ネットワーク９００として、インターネットと携帯電話網との組み合わせに限らず様々な通信ネットワークを用いることができる。例えば、ネットワーク９００が、救急医療情報システム１専用の回線であってもよい。
【００２７】
なお、救急医療情報システム１が、消防本部に設置される消防本部用端末装置を具備していてもよい。消防本部用端末装置が、救急隊員用端末装置２００から得られた各救急車の出動状況を出動要請担当者に提供することで、消防本部から各消防署の救急車に対する出動要請を支援することができる。
【００２８】
図２は、救急隊員用端末装置２００の機能構成の構成を示す概略ブロック図である。同図において、救急隊員用端末装置２００は、通信部２１０と、表示部２２０と、操作入力部２３０と、位置情報取得部２４０と、記憶部２８０と、制御部２９０とを具備する。制御部２９０は、優先度決定部２９１と、表示態様決定部２９２と、表示制御部２９３とを具備する。
【００２９】
通信部２１０は、ネットワーク９００（図１）に接続して通信を行う。特に、通信部２１０は、サーバ装置１００と通信を行う。さらには、通信部２１０は、情報取得部の例に該当し、医療機関が直近に傷病者を受け入れた時を示す情報を含む傷病者受入状況情報を、複数の医療機関それぞれについて取得する。ここでいう「時」は、時刻であってもよいし、所定の事象発生からの経過時間であってもよい。例えば、傷病者を受け入れた時を示す情報は、傷病者を受け入れた時刻を示す情報であってもよいし、傷病者を受け入れてからの経過時間を示す情報であってもよい。
【００３０】
さらには、通信部２１０は、医療機関が傷病者を受け入れた時と、当該傷病者の重症度とを示す情報を含む傷病者受入状況情報を取得する。さらには、通信部２１０は、医療機関から通知される受入不可の通知を含む傷病者受入状況情報を取得可能である。さらには、通信部２１０は、医療機関が傷病者を受け入れた時と、当該医療機関が傷病者の受入を断った時とを示す情報を含む傷病者受入状況情報を取得する。
【００３１】
表示部２２０は、例えば液晶パネルなどの表示画面を有し、各種画像を表示する。特に、表示部２２０は、医療機関の傷病者受入に関する情報の入力画面や表示画面を表示する。
さらには、表示部２２０は、医療機関による傷病者受入状況の表示として、医療機関を示すアイコンを表示する。その際表示部２２０は、表示態様決定部２９２が決定した表示態様でアイコンを表示することで、医療機関における傷病者受入状況、および、医療機関からの傷病者受入可否の通知の状況を表示する。
【００３２】
さらには、表示部２２０は、医療機関が受け入れた傷病者の重症度を示す情報を、当該医療機関を示すアイコン所定の位置を基準として当該傷病者の受入からの経過時間に応じた相対位置に表示することで、傷病者受入からの経過時間を表示する。例えば、表示部２２０は、アイコンに設定されている基準位置を中心とした場合の、重症度を示す情報の表示位置の、所定の向きからの角度にて、傷病者の受入からの経過時間を示す。
さらには、表示部２２０は、地図を表示し、当該地図における医療機関の位置に、当該医療機関を示すアイコンを表示する。これにより、救急隊員が、各医療機関の位置を把握し易くなる。
【００３３】
さらには、表示部２２０は、アイコンに設定されている基準位置を中心として、傷病者を受け入れたこと又は受入を断ったことの表示位置の、所定の向きからの角度にて、傷病者の受入または受入を断ってからの経過時間を示す。これにより、救急隊員は、医療機関による傷病者受入、受入不可のいずれの履歴も把握することができ、さらに、傷病者受入または受入不可からの経過時間を把握することができる。
【００３４】
操作入力部２３０は、例えば、表示部２２０の表示画面に設けられたタッチセンサを有する。表示部２２０の表示画面と操作入力部２３０のタッチセンサとでタッチパネルを構成してユーザ操作を受け付ける。
【００３５】
位置情報取得部２４０は、例えばＧＰＳ機能を有して、救急隊員用端末装置２００自らの位置情報を取得する。
位置情報取得部２４０が取得する救急隊員用端末装置２００の位置情報に基づいて、制御部２９０が、救急隊員用端末装置２００と医療機関との距離を算出することができる。例えば、優先度決定部２９１が、救急隊員用端末装置２００と医療機関との距離を算出し、医療機関毎の優先度を決定する基準の１つとして用いることができる。なお、ここでいう救急隊員用端末装置２００と医療機関との距離は、直線距離であってもよいし道のりであってもよい。
【００３６】
記憶部２８０は、救急隊員用端末装置２００の具備する記憶デバイスを用いて構成され、各種情報を記憶する。
制御部２９０は、救急隊員用端末装置２００の各部を制御して各種機能を実現する。
優先度決定部２９１は、傷病者受入可否関連情報に基づいて医療機関毎の優先度を決定する。優先度決定部２９１が決定する優先度は、救急隊員が傷病者受入交渉相手として医療機関を選択する際の参考情報として用いられる。
【００３７】
例えば、優先度決定部２９１は、以下の条件（１）〜（５）のうち少なくとも１つ以上に基づいて医療機関の優先順位を決定する。
（１）医療機関が、傷病者を積極的に受け入れる旨を通知している。
（２）医療機関が直近に受け入れた傷病者の重症度が低い。
（３）医療機関における直近の傷病者受入から３０分以上経過している。
（４）医療機関の位置が、救急隊員用端末装置２００の現在位置から近い。
（５）医療機関が傷病者受入不可に設定した時間の残り時間が短い。
【００３８】
但し、優先度決定部２９１が用いる優先度の基準はこれに限らない。例えば、優先度決定部２９１が、優先度の基準として現在値からの到着時間の短い順を用いるようにしてもよい。この場合、表示部２２０は、各医療機関の情報は、到着時間の短い順に表示する。あるいは、優先度決定部２９１が、医療機関が受け入れた傷病者の重症度で優先順位付けを行うようにしてもよい。例えば、直近に受け付けた傷病者の重症度が軽いほど優先順位を高く設定するようにしてもよい。
【００３９】
例えば、優先度決定部２９１は、条件（１）に基づいて医療機関の優先順位を決定し、優先順位が同じ医療機関について、条件（２）に基づいて優先順位を決定するというように、条件（１）〜（５）の順に適用して優先順位を決定する。
なお、条件（２）について、例えば傷病者の重症度が、死亡、軽症、中等症、重症の順に優先度を高くする。医療機関の負荷が小さいと考えられる順である。
【００４０】
また、条件（５）について、医療機関は、「傷病者受入不可３０分」、「傷病者受入不可６０分」のように、傷病者受入不可を通知する際に時間を設定する。優先度決定部２９１は、設定された時間から経過時間を減算して残り時間を算出する。例えば、医療機関が傷病者受入不可３０分と通知し、通知から１６分経過した場合、優先度決定部２９１は、３０分から１６分を減算して残り時間１４分と算出する。
【００４１】
表示態様決定部２９２は、医療機関による傷病者受入可否の通知と、当該医療機関における直近の傷病者受入からの経過時間に基づいて、当該医療機関を示すアイコンの表示態様を決定する。
例えば、表示態様決定部２９２は、医療機関による傷病者受入可否の通知に基づいて、以下の色の円形のアイコンに決定する。
（ａ）一定時間受入不可：グレー。
（ｂ）通知なし：水色。
（ｃ）積極的受入：濃い青。
【００４２】
例えば、表示態様決定部２９２は、医療機関から受入不可が通知された場合、当該医療機関を示すアイコンの色をグレーに決定する。そして、表示部２２０が、当該決定に基づいてグレーのアイコンを表示する。
その後、受入不可時間として設定されている時間が経過した場合に、表示態様決定部２９２は、当該医療機関を示すアイコンの色を水色に決定する。すなわち、表示態様決定部２９２は、当該アイコンの表示態様を、受入可否が通知されていない場合の表示態様として設定されている表示態様に決定する。そして、表示部２２０が、当該決定に基づいて水色のアイコンを表示する。このような表示変更を可能するために、医療機関用端末装置３００は、傷病者受入不可の通知を送信する際、受入不可時間として設定されている時間を、傷病者受入不可の通知に含めて送信する。
なお、受入不可時間として設定されている時間が経過するまでに、当該医療機関からの受入不可の通知が再度あった場合、表示部２２０は、当該再度の通知に基づき、引き続きグレーのアイコンを表示する。一方、受入不可時間として設定されている時間が経過するまでに、当該医療機関からの受入可の通知があった場合、表示部２２０は、当該受入可の通知に基づき、アイコンに表示される色をグレーから水色に変更して表示する。
【００４３】
また、表示態様決定部２９２は、医療機関における直近の傷病者受入からの経過時間に基づいて、以下の表示態様を選択する。
（ア）過去１時間以内に受入なし：アイコンを塗りつぶす。
（イ）３０分〜１時間経過：白い線の丸（円周）を含むアイコンとする。
（ウ）３０分以内：白い丸（塗りつぶし）を中心に含むアイコンとする。
なお、本実施形態では、表示態様決定部２９２が、アイコンの表示態様としてアイコンの表示色またはその組み合わせを決定する場合を例に説明するが、表示態様決定部２９２が決定する表示態様は色に限らない。例えば、表示態様決定部２９２が、アイコンの形状を決定するようにしてもよい。あるいは、表示態様決定部が、アイコン内に表示されるテキスト（文字または文字列）を決定するようにしてもよい。
【００４４】
表示制御部２９３は、表示部２２０を制御して各種画像を表示させる。特に、表示制御部２９３は、表示部２２０に、医療機関を示すアイコンを、表示態様決定部２９２が決定した表示態様で表示させる。さらに、表示制御部２９３は、表示部２２０に、優先度決定部が決定した優先度をアイコン内に表示させる。
なお、救急隊員用端末装置２００は、傷病者受入状況情報表示装置の例に該当する。
【００４５】
図３は、サーバ装置１００の機能構成の構成を示す概略ブロック図である。同図において、サーバ装置１００は、通信部１１０と、表示部１２０と、操作入力部１３０と、記憶部１８０と、制御部１９０とを具備する。
【００４６】
通信部１１０は、ネットワーク９００（図１）に接続して各端末装置と通信を行う。
表示部１２０は、例えば液晶パネルなどの表示画面を有し、各種画像を表示する。
操作入力部１３０は、例えばキーボードおよびマウスなどの操作デバイスを有し、ユーザ操作を受け付ける。
上述したように、サーバ装置１００は、例えば、データセンタに設置されたコンピュータにて実現されており、表示部１２０や操作入力部１３は、当該コンピュータのメンテナンス端末装置として構成される。
【００４７】
記憶部１８０は、サーバ装置１００の具備する記憶デバイスを用いて構成され、各種情報を記憶する。
特に、記憶部１８０は、複数の救急隊員用端末装置２００の各々が取得して送信する、医療機関への傷病者受入要請に関する情報を記憶する。記憶部１８０が、複数の救急隊員用端末装置２００の各々からの情報を集約的に記憶することで、情報の共有が可能になる。
各医療機関の傷病者受入に関する情報のサーバ装置１００への登録は、例えば、救急隊員用端末装置２００が医療機関に対する傷病者受入要請の結果情報をサーバ装置１００へ送信することで行われる。
【００４８】
サーバ装置１００は、傷病者受入要請の結果情報として例えば、傷病者の属性情報、事故等の種別、重症度、観察項目、交渉履歴、救急隊情報の全部または一部を記憶する。
例えば、サーバ装置１００は、傷病者の属性情報として、傷病者の年齢又は性別又はこれらの組み合わせを記憶する。また、事故種別として、例えば交通事故、労働災害などの区別を記憶する。また、重症度として、例えば、重症、中等症、軽傷、死亡の４つの分類を記憶する。また、観察項目として、傷病者の状態を示す写真又はメモ又はこれらの組み合わせを記憶する。また、交渉履歴として、搬送先が決まった場合は、搬送先の医療機関及び決定時刻を記憶する。一方、搬送先が決まらなかった場合、交渉履歴として、交渉した医療機関、交渉時刻、及び、拒否された理由を記憶する。また、救急隊情報として、出動、現地到着、接触（傷病者との接触）等の動態、及び、救急車の位置情報を記憶する。
【００４９】
制御部１９０は、サーバ装置１００の各部を制御して各種機能を実行する。特に、制御部１９０は、各端末装置が送信する各種情報を記憶部１８０に記憶させる。また、制御部１９０は、各端末装置からの要求に応じて記憶部１８０から情報を読み出して送信する。
【００５０】
図４は、医療機関用端末装置３００の機能構成の構成を示す概略ブロック図である。同図において、医療機関用端末装置３００は、通信部３１０と、表示部３２０と、操作入力部３３０と、記憶部３８０と、制御部３９０とを具備する。
【００５１】
通信部３１０は、ネットワーク９００（図１）に接続して通信を行う。特に、通信部３１０は、サーバ装置１００と通信を行う。
表示部３２０は、例えば液晶パネルなどの表示画面を有し、各種画像を表示する。特に、表示部３２０は、傷病者受入可否の通知の入力画面を表示する。
【００５２】
操作入力部３３０は、例えばキーボードおよびマウスなどの操作デバイスを有し、ユーザ操作を受け付ける。特に、操作入力部３３０は、傷病者受入可否の通知の入力操作を受け付ける。
記憶部３８０は、医療機関用端末装置３００の具備する記憶デバイスを用いて構成され、各種情報を記憶する。
制御部３９０は、医療機関用端末装置３００の各部を制御して各種機能を実現する。特に、制御部３９０は、医療機関の担当者が操作入力部にて入力する傷病者受入可否の通知を、通信部３１０を介してサーバ装置１００へ送信する。
【００５３】
次に、図５を参照して医療機関による傷病者受入可否の通知について説明する。
図５は、医療機関用端末装置３００の表示部３２０が表示する傷病者受入可否の通知の入力画面の例を示す説明図である。同図において、領域Ａ１１は、傷病者受入可否の通知の現状を表示する領域である。図５の例では、傷病者受入不可の通知となっており、また、設定した時間の経過まであと１５分となっている。
【００５４】
領域Ａ１２〜Ａ１７は、傷病者受入可否の通知の入力操作を行うための領域である。医療機関の担当者が、マウスクリックまたはタッチ操作で領域Ａ１２〜Ａ１７のいずれかを選択することで、医療機関用端末装置３００は、傷病者受入可否の通知をサーバ装置１００を介して救急隊員用端末装置２００へ送信する。
【００５５】
領域Ａ１２は、「優先受入」の操作入力領域である。優先受入は、傷病者を積極的に受け入れることを示す。
領域Ａ１３は、「受入可能」の操作入力領域である。受入可能は、傷病者を受入可能であることを示す。
領域Ａ１４〜Ａ１７は、いずれも「受入不可」の操作入力領域であるが、それぞれ、受入不可の設定時間が異なる。領域Ａ１４、Ａ１５、Ａ１６、Ａ１７では、それぞれ、受入不可の設定時間が３０分、６０分、９０分、１２０分となっている。例えば、領域Ａ１４の３０分不可の場合、通知から３０分間、傷病者を受け入れられないことを示す。
【００５６】
なお、領域Ａ１８には、一斉受入要請の件数、及び、直近の一斉受入要請が行われた時刻が示されている。ここでいう一斉受入要請は、医療機関に対して一斉に傷病者の受入を要請することである。
また、領域Ａ１９には、当月の傷病者受入人数及び先月の傷病者受入人数が、重症度ごとに示されている。
【００５７】
次に、図６〜図１０を参照して、救急隊員用端末装置２００による医療機関のアイコンの表示について説明する。
図６は、救急隊員用端末装置２００の表示部２２０が表示する医療機関一覧画面の例を示す説明図である。
同図において、領域Ａ２１１、Ａ２２１、Ａ２３１のそれぞれに１つの医療機関における傷病者受入状況が示されている。
【００５８】
領域Ａ２１１には、○○病院の傷病者受入状況が示されている。具体的には、領域Ａ２１２には、直近３時間の傷病者受入の履歴が、時間軸を示す数直線の上側に記載されている。また、直近３時間の傷病者受入不可の履歴が、時間軸を示す数直線の下側に記載されている。傷病者受入を示す各アイコンは、時間軸を示す数直線において、傷病者受入の発生時（例えば、救急隊員が医療機関から受入可能の回答を得たタイミング）に対応する位置に配置されている。また、傷病者受入不可を示す各アイコンは、時間軸を示す数直線において、傷病者受入不可の発生時（例えば、救急隊員が医療機関から受入不可の回答を得たタイミング）に対応する位置に配置されている。
また、領域Ａ２１１内に、医療機関を示すアイコンＣ１１が表示されている。
【００５９】
また、領域Ａ２２１には、□□□□□□□□□□□病院の傷病者受入状況が示されている。具体的には、領域Ａ２２２には、直近３時間の傷病者受入の履歴が、時間軸を示す数直線の上側に記載されている。また、直近３時間の傷病者受入不可の履歴が、時間軸を示す数直線の下側に記載されている。傷病者受入を示す各アイコンは、時間軸を示す数直線において、傷病者受入の発生時に対応する位置に配置されている。また、傷病者受入不可を示す各アイコンは、時間軸を示す数直線において、傷病者受入不可の発生時に対応する位置に配置されている。
また、領域Ａ２２１内に、医療機関を示すアイコンＣ１２が表示されている。
【００６０】
また、領域Ａ２３１には、○○○○○○医院の傷病者受入状況が示されている。具体的には、領域Ａ２３２には、直近３時間の傷病者受入の履歴が、時間軸を示す数直線の上側に記載されている。また、直近３時間の傷病者受入不可の履歴が、時間軸を示す数直線の下側に記載されている。傷病者受入を示す各アイコンは、時間軸を示す数直線において、傷病者受入の発生時に対応する位置に配置されている。また、傷病者受入不可を示す各アイコンは、時間軸を示す数直線において、傷病者受入不可の発生時に対応する位置に配置されている。
また、領域Ａ２３１内に、医療機関を示すアイコンＣ１３が表示されている。
【００６１】
図７は、救急隊員用端末装置２００が表示する、直近３０分以内に傷病者受入があった医療機関を示すアイコンの例を示す説明図である。同図では、図６のアイコンＣ１１が示されており、アイコンＣ１１が、大きく領域Ａ３１１とＡ３１２とに分けられている。領域Ａ３１１は、アイコンＣ１１における外側の円の領域である。領域Ａ３１２は、アイコンＣ１１における内側の円の領域である。領域Ａ３１２には、優先度決定部２９１が決定した優先度が数字「０１」にて示されている。
【００６２】
上記のように、表示態様決定部２９２は、医療機関による傷病者受入可否の通知に基づいて、アイコンの表示色をグレー、水色又は濃い青のいずれかに決定する。図７の例では、領域Ａ３１１の色が水色になっている。
また、直近３０分以内に傷病者を受け入れた医療機関の場合、表示態様決定部２９２は、図７の例のように中心に白い丸（塗りつぶし）の領域Ａ３１２を設けたアイコンに決定する。
【００６３】
領域Ａ３１３、Ａ３１４及びＡ３１６には、傷病者を受け入れた履歴を示すアイコンが設けられている。また、領域Ａ３１５には、傷病者受入不可の履歴を示すアイコンが設けられている。
表示態様決定部２９２は、傷病者の重症度に応じてこれらのアイコンの表示態様を決定する。例えば、表示態様決定部２９２は、アイコンの表示色を重症の場合は赤、中等症の場合は黄色、軽傷の場合は緑、死亡の場合は黒とする。領域Ａ３１３〜Ａ３１６の表示は、傷病者の重症度の表示の例に該当する。
なお、領域Ａ３１３、Ａ３１４及びＡ３１６のアイコンの色は、医療機関が受け入れた傷病者の重症度に関わらず固定とし、医療機関による受け入れからの経過時間のみを把握可能な態様で表示してもよい。
【００６４】
また、これらのアイコンと基準点との位置関係で、傷病者受入と傷病者受入不可との区別、及び、傷病者受入又は傷病者受入不可の発生からの経過時間が示されている。
本実施形態では、円形のアイコンの中心を基準点として、基準点からの距離が比較的近い位置に傷病者受入を示すアイコンを配置し、基準点からの距離が比較的遠い位置に傷病者受入不可を示すアイコンを配置する。図７の例では、領域Ａ３１１の内側に、傷病者受入を示すアイコン（領域Ａ３１３、Ａ３１４及びＡ３１６）が示されている。また、領域Ａ３１１の外側に、傷病者受入不可を示すアイコン（領域Ａ３１５）が示されている。
【００６５】
また、基準点から見て真上からの角度で傷病者受入又は傷病者受入不可の発生からの経過時間を示している。ここで、１周を６０分に設定している。
例えば、領域Ａ３１３のアイコンで示される傷病者受入の場合、基準点Ｐ１１が真上へ延びる線Ｌ１１と、基準点Ｐ１１と領域Ａ３１３のアイコンの中心とを結ぶ線Ｌ１２とのなす角度θを用いて、傷病者受入からの経過時間は、６０分×θ（度）／３６０（度）と表される。
このように、表示部２２０が、傷病者受入の履歴、傷病者受入不可の履歴、傷病者の重症度、受入または受入不可が発生した時、医療機関からの傷病者受入可否の通知状況、及び、優先度を１つのアイコンに集約して表示することで、救急隊員は、１つのアイコンを見ることで医療機関の状況を把握することができる。
【００６６】
図８は、救急隊員用端末装置２００が表示する、直近３０分〜６０分の範囲で直近の傷病者受入があった医療機関を示すアイコンの例を示す説明図である。同図では、図６のアイコンＣ１２が示されており、アイコンＣ１２が、大きく領域Ａ３２１とＡ３２２とＡ３２３とに分けられている。領域Ａ３２１は、アイコンＣ２１における外側の円の領域である。領域Ａ３２３は、アイコンＣ２１における内側の円の領域である。領域Ａ３２２は、領域Ａ３２１とＡ３２３との中間の領域である。
また、領域Ａ３２３には、優先度決定部２９１が決定した優先度が数字「０２」にて示されている。
【００６７】
上記のように、表示態様決定部２９２は、医療機関による傷病者受入可否の通知に基づいて、アイコンの表示色をグレー、水色又は濃い青のいずれかに決定する。図８の例では、領域Ａ３２１、領域Ａ３２３の色が濃い青になっている。
また、直近３０分〜６０分の範囲で傷病者を受け入れた医療機関の場合、表示態様決定部２９２は、図８の例のように中心に白い丸の線の領域Ａ３２２を設けたアイコンに決定する。
【００６８】
領域Ａ３２４及びＡ３２５には、傷病者受入不可の履歴を示すアイコンが設けられている。また、領域Ａ３２６には、傷病者を受け入れた履歴を示すアイコンが設けられている。図７の場合と同様、表示態様決定部２９２は、傷病者の重症度に応じてこれらのアイコンの表示態様を決定する。
【００６９】
また、これらのアイコンと基準点との位置関係で、傷病者受入と傷病者受入不可との区別、及び、傷病者受入又は傷病者受入不可の発生からの経過時間が示されている。
具体的には、図７を参照して説明したのと同様、中心を基準点として、基準点からの距離が比較的近い位置に傷病者受入を示すアイコンを配置し、基準点からの距離が比較的遠い位置に傷病者受入不可を示すアイコンを配置する。ただし、中心を基準点として、基準点からの距離が比較的遠い位置に傷病者受入を示すアイコンを配置し、基準点からの距離が比較的近い位置に傷病者受入不可を示すアイコンを配置するようにしてもよい。
また、図７の場合と同様、基準点から見て真上からの角度で傷病者受入又は傷病者受入不可の発生からの経過時間を示している。図８の例でも、１周を６０分に設定している。
【００７０】
図９は、救急隊員用端末装置２００が表示する、直近６０分以内に傷病者を受け入れていない医療機関を示すアイコンの例を示す説明図である。同図では、図６のアイコンＣ１３が示されている。アイコンＣ１３は、大きくは１つの領域Ａ３３１となっている。なお、背景の色にかかわらずアイコンＣ１３を識別できるように、アイコンの縁をグレーと白とで２重に縁取りしている。
また、領域Ａ３３１には、優先度決定部２９１が決定した優先度が数字「０３」にて示されている。
【００７１】
上記のように、表示態様決定部２９２は、医療機関による傷病者受入可否の通知に基づいて、アイコンの表示色をグレー、水色又は濃い青のいずれかに決定する。図９の例では、領域Ａ３３１の色がグレーになっている。
また、直近６０分以内に傷病者を受け入れていない医療機関の場合、表示態様決定部２９２は、図９の例のように全体を塗りつぶした領域Ａ３３１を設けたアイコンに決定する。
【００７２】
領域Ａ３３２には、傷病者受入不可の履歴を示すアイコンが設けられている。図７の場合と同様、表示態様決定部２９２は、傷病者の重症度に応じてこれらのアイコンの表示態様を決定する。
【００７３】
また、これらのアイコンと基準点との位置関係で、傷病者受入又は傷病者受入不可の発生からの経過時間が示されている。
具体的には、図７を参照して説明したのと同様、基準点から見て真上からの角度で傷病者受入又は傷病者受入不可の発生からの経過時間を示している。図９の例でも、１周を６０分に設定している。
なお、図９の例では、医療機関が直近６０分以内に傷病者を受け入れていないので、アイコンＣ１３には、傷病者受入を示すアイコンは表示されない。
【００７４】
なお、アイコンの表示は、図７〜図９を参照して説明したものに限らない。
例えば、受入不可の残り時間をアイコン上に数字で示すようにしてもよい。あるいは、受入不可の残り時間に応じてアイコンの表示色の濃さを変化させるようにしてもよい。
【００７５】
また、傷病者受入の履歴を、左から順に並べて表示するなど、上述した角度で経過時間を示す方法以外の方法で表示するようにしてもよい。
あるいは、傷病者受入の履歴のうち直近のものだけを表示するようにし、重症の傷病者を受け入れた後に、軽傷の傷病者を受け入れた場合は、あえて受入の履歴を更新しないようにしてもよい。
【００７６】
図１０は、救急隊員用端末装置２００の表示部２２０が表示する地図表示画面の例を示す説明図である。同図において、表示部２２０は、地図上における医療機関の位置に、図７〜図９を参照して説明した医療機関を示すアイコンを表示している。これにより、救急隊員は、地図を参照することで、医療機関の位置と、医療機関における傷病者受入状況とを把握することができる。
【００７７】
また、図１０において、最も優先度が高い医療機関のアイコンが大きく表示されている。これにより、救急隊員は、優先度が高い医療機関を容易に把握し得る。
なお、地図の表示に加えて救急隊員用端末装置２００の現在の位置（救急隊員の現在の位置）から医療機関までのルートを表示するようにしてもよい。また、交通渋滞などの交通状況を表示するようにしてもよい。
また、優先度決定部２９１が、地図の縮尺に応じて、地図上に表示される医療機関のみを対象として優先度を決定するようにしてもよい。
なお、図７〜図１０に例示されるアイコン表示において、表示部２２０が、傷病者受入履歴、又は、傷病者受入不可の履歴のいずれか一方のみを表示するように切替可能であってもよい。表示部２２０が、傷病者受入履歴、又は、傷病者受入不可の履歴のいずれか一方のみを表示することで、救急隊員が、傷病者受入履歴を傷病者受入不可の履歴と見誤ること、及び、傷病者受入不可の履歴を傷病者受入履歴と見誤る可能性を低減させ得る。
【００７８】
なお、図７〜図１０に例示されるアイコン表示において、表示部２２０が、アイコン表示対象の医療機関で受診可能な診療科を表示するようにしてもよい。例えば、表示部２２０が、外科、内科、産婦人科などの診療科を「外」、「内」、「産」などの頭文字で表示するようにしてもよい。表示部２２０が診療科を表示することで、救急隊員は、傷病の種類に応じて受入依頼先の医療機関を選択する際に参考にすることができる。
また、図７〜図１０に例示されるアイコン表示において、表示部２２０が、アイコン表示対象の医療機関が心肺停止状態（Cardiopulmonary arrest；ＣＰＡ）の傷病者を受け入れ可能か否かを表示するようにしてもよい。表示部２２０が、心肺停止状態の傷病者の受入可否を表示することで、救急隊員は、心筋梗塞または脳梗塞など一刻を争う傷病者の受入依頼先の医療機関を選択する際に参考にすることができる。
【００７９】
次に、図１１を参照して救急隊員用端末装置２００の動作について説明する。
図１１は、救急隊員用端末装置２００が医療機関のアイコンを地図に表示する処理手順の例を示すフローチャートである。
同図の処理において、通信部２１０は、医療機関毎の傷病者受入状況情報を取得する（ステップＳ１０１）。具体的には、通信部２１０は、サーバ装置１００と通信を行って、医療機関毎の傷病者受入状況情報を受信する。
【００８０】
また、表示部２２０は、地図を表示する（ステップＳ１０２）。例えば、表示部２２０は、救急隊員のユーザ操作によって指定された位置又は救急車の位置を中心に、設定されている縮尺で地図を表示する。当該地図の表示は、例えば、制御部２９０が実行する地図表示アプリケーションプログラムからの出力に従って、表示制御部２９３が表示部２２０を制御して行われる。
【００８１】
次に、表示制御部２９３は、地図に表示されている範囲を検出する（ステップＳ１０３）。例えば、表示制御部２９３は、地図の表示における四隅それぞれの位置情報を緯度及び経度にて検出する。
また、表示制御部２９３は、地図の表示範囲に含まれる医療機関を検出する（ステップＳ１０４）。例えば、記憶部２８０が、各医療機関の位置情報（緯度及び経度）と、当該医療機関を示す識別情報とを対応付けて予め記憶しておく。そして、表示制御部２９３は、各医療機関の位置情報を記憶部２８０から読み出し、ステップ１０３で得られた地図の表示範囲に含まれる医療機関を示す識別情報を検出する。
【００８２】
次に、優先度決定部２９１は、ステップＳ１０４で検出された医療機関の各々について、ステップＳ１０１で得られた傷病者受入状況情報に基づいて、医療機関の優先度を決定する（ステップＳ１０５）。
次に、表示態様決定部２９２は、ステップＳ１０１で得られた傷病者受入状況情報に基づいて、医療機関を示すアイコンの表示態様を決定する（ステップＳ１０６）。その際、表示態様決定部２９２は、図７〜９を参照して説明したアイコンの塗り分けや、傷病者受入の履歴及び傷病者受入不可の履歴の各アイコンの表示を含めて、アイコンの各部の表示色を決定する。
【００８３】
さらに、表示制御部２９３は、優先度が最も高い医療機関を示すアイコンの大きさを大きく設定する（ステップＳ１０７）。但し、表示制御部２９３が、優先度の高い医療機関を強調表示する方法は、アイコンの大きさを大きくする方法に限らない。例えば、表示制御部２９３が、アイコンの表示の輝度またはアイコンの形状など、アイコンの大きさ以外の態様で強調表示を行うようにしてもよい。
ステップＳ１０７の後、表示部２２０は、表示態様決定部２９２が決定した表示態様で医療機関のアイコンを表示する（ステップＳ１０８）。
ステップＳ１０８の後、図１１の処理を終了する。
【００８４】
図１２は、優先度決定部２９１が医療機関の優先度を決定する処理手順の例を示すフローチャートである。優先度決定部２９１は、図１１のステップＳ１０５において同図の処理を行う。
図１２の処理において、優先度決定部２９１は、図１１のステップＳ１０４で検出された医療機関（地図の表示範囲に含まれる医療機関）の各々を、受入不可の通知に基づいてグループ分けする（ステップＳ２０１）。具体的には、優先度決定部２９１は、積極受入を通知している医療機関を優先度「Ａ」のグループに分類する。また、優先度決定部２９１は、受入不可を通知している医療機関を優先度「Ｃ」のグループに分類する。また、優先度決定部２９１は、受入可否を通知していない医療機関（積極受入も受入不可も通知していない医療機関）を優先度「Ｂ」のグループに分類する。優先度「Ａ」が優先度が最も高く、優先度「Ｂ」、「Ｃ」の順に優先度が低くなっていくことを示している。
【００８５】
次に、優先度決定部２９１は、ステップＳ２０１で分類したグループ毎に、直近の傷病者受入からの経過時間によって医療機関の優先順位付けを行う。例えば、優先度決定部２９１は、ステップＳ２０１で優先度「Ａ」に分類した医療機関の優先順を、直近の傷病者受入から時間が経過している順に、優先度「Ａ１」、「Ａ２」、・・・、のように優先度を設定する。数字が小さいほど（従って、直近の傷病者受入から時間が経過しているほど）優先度が高いことを示している。
【００８６】
次に、優先度決定部２９１は、ステップＳ２０２で同じ優先順位となった医療機関について、救急隊員用端末装置２００の現在位置から当該医療機関までの距離に基づいて、優先順位付けを行う（ステップＳ２０３）。例えば、ステップＳ２０２で直近の傷病者受入から経過時間を分単位まで比較して優先順位付けを行う場合、直近の傷病者受入から経過時間が分単位まで同じ医療機関には同じ優先順位が付される。これらの医療機関に対してステップＳ２０３で更に優先順位付けを行う。優先度決定部２９１は、救急隊員用端末装置２００の現在位置から近い医療機関ほど小さい数字の優先順位（高い優先度を示す優先順位）を付す。
【００８７】
次に、優先度決定部２９１は、ステップＳ２０３でも同じ優先順位となった医療機関について、直近に受け入れた傷病者の重症度に基づいて、優先順位付けを行う（ステップＳ２０４）。優先度決定部２９１は、傷病者の重症度が軽いほど小さい数字の優先順位（高い優先度を示す優先順位）を付す。
ステップＳ２０４の後、図１２の処理を終了し、図１１の処理へ戻る。
なお、ステップＳ２０１でのグループ分けが、ステップＳ２０２〜Ｓ２０４での優先順位付けよりも優先される。例えば、優先度「Ａ３」と優先度「Ｂ１」とでは、優先度「Ａ３」の方が優先度が高い。
【００８８】
なお、優先度決定部２９１が決定する優先度は、図１２の処理によるものに限らない。例えば、上記のように、
（１）医療機関が、傷病者を積極的に受け入れる旨を通知している。
（２）医療機関が直近に受け入れた傷病者の重症度が低い。
（３）医療機関における直近の傷病者受入から３０分以上経過している。
（４）医療機関の位置が、救急隊員用端末装置２００の現在位置から近い。
（５）医療機関が傷病者受入不可に設定した時間の残り時間が短い。
の順に優先度を決定するようにしてもよい。この場合、優先度決定部２９１は、図１２のステップＳ２０２〜Ｓ２０４の処理に代えて、上記（２）〜（５）の順で優先順位付けを行う。
【００８９】
以上のように、通信部２１０は、医療機関が直近に傷病者を受け入れた時を示す情報を含む傷病者受入状況情報を、複数の医療機関それぞれについて取得する。また、表示態様決定部２９２は、医療機関における直近の傷病者受入からの経過時間に基づいて当該医療機関を示すアイコンの表示態様を決定する。そして、表示部２２０は、医療機関を示すアイコンを、表示態様決定部２９２が決定した表示態様で表示する。
これにより、表示部２２０は、医療機関における傷病者受入状況を色で表示することができる。表示部２２０の表示を参照した救急隊員は、表示部２２０の表示から得られた情報を参考にして、傷病者の受入を依頼する医療機関を探すことができる。この点において、救急隊員用端末装置２００によれば、救急隊から医療機関への傷病者の受け渡しが円滑に行われるよう支援することができる。
【００９０】
また、通信部２１０は、医療機関が傷病者を受け入れた時と、当該傷病者の重症度とを示す情報を含む傷病者受入状況情報を取得する。
そして、表示部２２０は、医療機関が受け入れた傷病者の重症度を示す情報を、当該医療機関を示すアイコンにおける所定の位置を基準として当該傷病者の受入からの経過時間に応じた相対位置に表示する。
これにより、表示部２２０の表示では、傷病者の重症度を示す情報の表示位置で、傷病者の受入からの経過時間を示すことができる。
【００９１】
また、表示部２２０は、アイコンに設定されている基準位置を中心とした場合の、重症度を示す情報の表示位置の、所定の向きからの角度にて、傷病者の受入からの経過時間を示す。
これにより、表示部２２０の表示では、傷病者の重症度を示す情報の表示位置で、傷病者の受入からの経過時間を示すことができる。
【００９２】
また、通信部２１０は、医療機関から通知される受入不可の通知を含む傷病者受入状況情報を取得し得る。また、表示態様決定部２９２は、さらに、受入不可の通知の有無に基づいてアイコンの表示態様を決定する。
これにより、表示部２２０は、医療機関からの受入不可の通知の有無を、アイコンの色で示すことができる。
【００９３】
また、表示態様決定部２９２は、受入不可が通知された後、受入不可時間として設定されている時間が経過するまでに、前記医療機関からの受入可否の通知がなかった場合、受入可否が通知されていない場合の表示態様として設定されている表示態様に決定する。
これにより、表示部２２０は、受入不可の通知の有無をアイコンの色で表示する際、受入不可の設定時間の経過を反映させることができる。
【００９４】
また、表示部２２０は、地図を表示し、当該地図における医療機関の位置に、当該医療機関を示すアイコンを表示する。
これにより、地図を参照した救急隊員は、医療機関の位置と共に、医療機関の傷病者受入状況を把握することができる。
【００９５】
また、通信部２１０は、医療機関が傷病者を受け入れた時と、当該医療機関が傷病者の受入を断った時とを示す情報を含む傷病者受入状況情報を取得する。
そして、表示部２２０は、アイコンに設定されている基準位置を中心として、傷病者を受け入れたこと又は受入を断ったことの表示位置の、所定の向きからの角度にて、傷病者の受入または受入を断ってからの経過時間を示す。
これにより、表示部２２０は、傷病者受入の履歴及び傷病者受入不可の履歴のいずれも、傷病者受入または傷病者受入不可の発生からの経過時間と共に表示することができる。
【００９６】
なお、以上では救急隊員用端末装置がアイコンの表示態様を決定する場合を例に説明したが、サーバ装置がアイコンの表示態様を決定するようにしてもよい。この点について図１３及び図１４を参照して説明する。
図１３は、本実施形態の一変形例に係る救急隊員用端末装置の機能構成の構成を示す概略ブロック図である。同図において、救急隊員用端末装置４２０は、通信部２１０と、表示部２２０と、操作入力部２３０と、位置情報取得部２４０と、記憶部２８０と、制御部４２１とを具備する。制御部４２１は、アイコン取得部４２２と表示制御部２９３とを具備する。図１３の各部のうち図２の各部に対応して同様の機能を有する部分には同一の符号（２１０、２２０、２３０、２４０、２８０、２９３）を付して説明を省略する。
救急隊員用端末装置４２０は、傷病者受入状況情報表示装置の例に該当する。
【００９７】
救急隊員用端末装置２００（図２）が、アイコンの表示態様を自ら決定するのに対し、救急隊員用端末装置４２０は、サーバ装置が決定した表示態様でアイコンを表示する。例えば、記憶部２８０が、アイコンの表示態様を示す表示態様情報を識別情報と一対一に対応付けて予め記憶しておく。
ここで記憶部２８０が記憶する表示態様情報は、いろいろなデータ形式の情報とすることができる。例えば、記憶部２８０が、表示態様情報として、アイコンの枠及び色の情報を記憶するようにしてもよい。ここでいうアイコンの「枠」の情報は、図７の領域Ａ３１１及びＡ３１２のように、アイコンの塗り分けを示す情報である。また、アイコンの「色」の情報は、アイコンの枠の情報が示す領域毎の色を示す情報である。
あるいは、記憶部２８０が、表示態様情報を例えばビットマップ等の画像データの形式で記憶するようにしてもよい。
なお、記憶部２８０が記憶する表示態様情報は、例えば色の濃さをパラメータ値で設定できるなどパラメータを有していてもよい。
【００９８】
そして、アイコン取得部４２２は、サーバ装置が決定したアイコンの表示態様を示す識別情報を取得し、当該識別情報に対応付けられている表示態様情報を取得する。表示制御部２９３は、アイコン取得部４２２が取得した表示態様情報に基づいて、表示部２２０にアイコンを表示させる。
【００９９】
図１４は、本変形例に係るサーバ装置の機能構成を示す概略ブロック図である。同図において、サーバ装置４１０は、通信部１１０と、表示部１２０と、操作入力部１３０と、記憶部１８０と、制御部４１１とを具備する。制御部４１１は、優先度決定部４１２と、表示態様決定部４１３とを具備する。図１３の各部のうち図３の各部に対応して同様の機能を有する部分には同一の符号（１１０、１２０、１３０、１８０）を付して説明を省略する。
サーバ装置４１０は、アイコン表示態様決定装置の例に該当する。
【０１００】
制御部４１１は、図３の制御部１９０と同様の処理を行う。加えて制御部４１１は、優先度決定部４１２及び表示態様決定部４１３にて、救急隊員用端末装置４２０に表示させるアイコンの表示態様を決定する。
優先度決定部４１２は、図２の優先度決定部２９１と同様の処理を行って医療機関毎の優先度を決定する。
【０１０１】
なお、優先度決定部２９１について説明した優先度の基準には、医療機関の位置が救急隊員用端末装置の現在位置から近いか否かなど、救急隊員用端末装置２００毎の情報を用いる基準がある。そこで、優先度決定部４１２では、救急隊員用端末装置４２０の各々から情報を取得し、救急隊員用端末装置４２０毎に、当該救急隊員用端末装置４２０での医療機関の優先度を決定するようにしてもよい。あるいは、優先度決定部４１２が、救急隊員用端末装置４２０毎の情報を必要としない基準のみを用いるようにしてもよい。あるいは、救急隊員用端末装置が優先度決定部を備え、サーバ装置が表示態様決定部を備えるようにしてもよい。
【０１０２】
表示態様決定部４１３は、図２の表示態様決定部２９２と同様の処理を行って、医療機関を示すアイコンの表示態様を決定する。特に、表示態様決定部４１３は、表示態様決定部２９２と同様、直近の傷病者受入からの経過時間に応じて、アイコンの枠（アイコンの塗り分けのパターン）を決定する。また、表示態様決定部４１３は、表示態様決定部２９２と同様、医療機関による傷病者受入可否の通知に基づいてアイコンの表示色を決定する。
表示態様決定部４１３は、決定した表示態様を示す識別情報を、通信部１１０を介して救急隊員用端末装置４２０へ送信する。表示態様から識別情報への変換のために、記憶部１８０は、記憶部２８０が記憶している表示態様情報と識別情報とを対応づけた情報と同じ情報を予め記憶しておく。そして、表示態様決定部は、記憶部１８０が記憶している当該情報に基づいて、表示対応を識別情報に変換する。
【０１０３】
一方、図７の数字「０１」のように優先度を示す数字とアイコンとの合成は、救急隊員用端末装置４２０（例えば、アイコン取得部４２２）が行う。
また、図７の領域Ａ３１４〜３１６に例示される傷病者受入可否の履歴を示すアイコンは、時間経過に応じて表示位置を更新する必要がある。そこで、救急隊員用端末装置４２０（例えば、アイコン取得部４２２）が、傷病者受入可否の履歴を取得して、当該履歴を示すアイコンを、医療機関を示すアイコンに合成する。あるいは、救急隊員用端末装置４２０では、傷病者受入可否の履歴を表示しないようにしてもよい。
【０１０４】
また、医療機関による受入不可の通知から、受入不可時間として設定されている時間が経過した際のアイコン表示の更新について、サーバ装置４１０が時間経過を検出して、更新後のアイコンの表示態様を救急隊員用端末装置４２０に通知するようにしてもよい。
あるいは、サーバ装置４１０は当該変更を積極的には行わず、次にアイコン表示を更新するタイミングまで、傷病者受入不可の通知のアイコン表示（グレーでのアイコン表示）を継続するようにしてもよい。
【０１０５】
なお、制御部１９０、２９０及び３９０の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、コンパクトディスク等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【０１０６】
以上、この発明の実施形態を図面を参照して詳述してきたが、具体的な構成はこの実施形態に限られるものではなく、この発明の要旨を逸脱しない範囲の設計変更等も含まれる。
【符号の説明】
【０１０７】
１  救急医療情報システム
１００、４１０  サーバ装置
１１０、２１０、３１０  通信部
１２０、２２０、３２０  表示部
１３０、２３０、３３０  操作入力部
１８０、２８０、３８０  記憶部
１９０、２９０、３９０、４１１、４２１  制御部
２００、４２０  救急隊員用端末装置
２４０  位置情報取得部
２９１、４１２  優先度決定部
２９２、４１３  表示態様決定部
２９３  表示制御部
３００  医療機関用端末装置
４２２  アイコン取得部
９００  ネットワーク
【図１】
0006476039.tif 000002
【図２】
0006476039.tif 000003
【図３】
0006476039.tif 000004
【図４】
0006476039.tif 000005
【図５】
0006476039.tif 000006
【図６】
0006476039.tif 000007
【図７】
0006476039.tif 000008
【図８】
0006476039.tif 000009
【図９】
0006476039.tif 000010
【図１０】
0006476039.tif 000011
【図１１】
0006476039.tif 000012
【図１２】
0006476039.tif 000013
【図１３】
0006476039.tif 000014
【図１４】
0006476039.tif 000015